(57)【要約】      （修正有）【課題】送風角度を調整することにより記録媒体のばたつきを防止しつつ、速乾性を向上することができる液体を吐出する装置を提供する。【解決手段】記録媒体へ向けて液体を吐出した後、液体が吐出された記録媒体を一方向に搬送する液体を吐出する装置であって、一方向に搬送される記録媒体へ向けて風を送出する送風手段と、一方向に搬送される記録媒体の一方向に直交する端部を検出する検出手段と、一方向に搬送される記録媒体へ向けて送風手段が送出する風の角度を調節する角度調節手段５５と、を含み、角度調節手段は、端部が一方向における検出手段の上流側にあるか下流側にあるかに応じて、送風手段が一方向に搬送される記録媒体へ向けて送出する風の角度を調節する。【選択図】図４
2017087698.tif 000002
【特許請求の範囲】
【請求項１】
記録媒体へ向けて液体を吐出した後、前記液体が吐出された記録媒体を一方向に搬送する液体を吐出する装置であって、
前記一方向に搬送される前記記録媒体へ向けて風を送出する送風手段と、
前記一方向に搬送される前記記録媒体の前記一方向に直交する端部を検出する検出手段と、
前記一方向に搬送される前記記録媒体へ向けて前記送風手段が送出する前記風の角度を調節する角度調節手段と、
を含み、
前記角度調節手段は、前記端部が前記一方向における前記検出手段の上流側にあるか下流側にあるかに応じて、前記送風手段が前記一方向に搬送される前記記録媒体へ向けて送出する前記風の角度を調節することを特徴とする液体を吐出する装置。
【請求項２】
前記検出手段により、前記一方向に搬送される前記記録媒体の前記上流側の端部が検出されてから前記記録媒体の下流側の端部が検出されるまでの間、前記角度調節手段は、前記記録媒体へ向けて前記送風手段が送出する前記風の方向が前記一方向と略同一方向となるよう前記風の角度を調節することを特徴とする請求項１に記載の液体を吐出する装置。
【請求項３】
前記検出手段により、前記一方向に搬送される前記記録媒体の前記下流側の端部が検出された後、前記角度調節手段は、前記記録媒体へ向けて前記送風手段が送出する前記風の方向が前記一方向と略反対方向となるよう前記風の角度を調節することを特徴とする請求項１又は２に記載の液体を吐出する装置。
【請求項４】
前記一方向に搬送される前記記録媒体へ向けて送出する風の風速を調節する風速調節手段を含み、前記検出手段により、前記一方向に搬送される前記記録媒体の前記上流側の端部が検出されてから前記記録媒体の前記下流側の端部が検出されるまでの間、前記風速調節手段は前記風を一の風速に調節し、前記検出手段により、前記一方向に搬送される前記記録媒体の前記上流側の端部が検出される前、及び前記一方向に搬送される前記記録媒体の前記下流側の端部が検出された後、前記風速調節手段は前記風を前記一の風速と比較して小さい風速に調節することを特徴とする請求項１から３の何れか１項に記載の液体を吐出する装置。
【請求項５】
前記一方向に搬送される前記記録媒体へ向けて各々が前記風を送出するよう前記一方向と同一方向に複数の送風手段が設けられており、前記角度調節手段は、前記複数の送風手段のうち、前記一方向に搬送される前記記録媒体へ向けて最初に前記風を送出する送風手段と、前記一方向に搬送される前記記録媒体へ向けて最後に前記風を送出する送風手段とが送出する前記風の角度を調節することを特徴とする請求項１から４の何れか１項に記載の液体を吐出する装置。
【請求項６】
記録媒体へ向けて液体を吐出した後、前記液体が吐出された記録媒体を一方向に搬送し、前記一方向に搬送される前記記録媒体へ向けて風を送出する送風手段と、前記一方向に搬送される前記記録媒体の前記一方向に直交する端部を検出する検出手段と、前記一方向に搬送される前記記録媒体へ向けて前記送風手段が送出する前記風の角度を調節する角度調節手段と、を含む液体を吐出する装置の制御方法であって、
前記角度調節手段が、前記端部が前記一方向における前記検出手段の上流側にあるか下流側にあるかに応じて、前記送風手段が前記一方向に搬送される前記記録媒体へ向けて送出する前記風の角度を調節する工程を含むことを特徴とする制御方法。
【請求項７】
記録媒体へ向けて液体を吐出した後、前記液体が吐出された記録媒体を一方向に搬送し、前記一方向に搬送される前記記録媒体へ向けて風を送出する送風手段と、前記一方向に搬送される前記記録媒体の前記一方向に直交する端部を検出する検出手段と、前記一方向に搬送される前記記録媒体へ向けて前記送風手段が送出する前記風の角度を調節する角度調節手段と、を含む液体を吐出する装置に実行させるためのプログラムであって、
前記角度調節手段が、前記端部が前記一方向における前記検出手段の上流側にあるか下流側にあるかに応じて、前記送風手段が前記一方向に搬送される前記記録媒体へ向けて送出する前記風の角度を調節する処理を実行させるためのプログラム。
【発明の詳細な説明】
【技術分野】
【０００１】
本発明は、液体を吐出する装置、液体を吐出する装置の制御方法、及びプログラムに関する。
【背景技術】
【０００２】
近年、商用印刷領域への進出が拡大している。商用印刷とは、一般の企業や団体の事業活動に使用される印刷物を対象とする分野である。商用印刷は、宣伝用印刷と業務用印刷とに分けることができる。宣伝用印刷は、チラシ、パンフレット、リーフレット、ポスター、ＰＯＰ（Point Of Purchase）等が主な印刷品目であり、業務用印刷は、カタログ、会社案内、マニュアル、社内報、名簿等が主な印刷品目である。
【０００３】
商用印刷領域へ進出することに伴い、高速に印刷することが要求されてきている。印刷の高速化に伴う技術的な課題として、例えば、印刷物におけるインクの速乾性が挙げられる。
【０００４】
例えば、インクの乾燥が不十分な場合、次のような不具合が発生する。例えば、印刷物同士が重ねられたときにインクが剥離するブロッキングという現象が発生する。また、印刷物が搬送される際、ローラにインクが付着して色抜けするピッキングという現象が発生する。
【０００５】
このような不具合を防止するためにはインクの速乾性を向上させることが重要であり、インクの速乾性を向上させるために様々な乾燥方式が用いられている。現在、主として用いられている乾燥処理の方法として、ホットプレートを用いた乾燥、温風を用いた乾燥、ＩＲ（Infrared heater：赤外線）ヒータを用いた乾燥等が挙げられる。
【０００６】
特許文献１には、送風時における記録媒体のばたつきを抑制するため、記録媒体を搬送面へ吸引しながら搬送する搬送手段よりも記録媒体の搬送方向上流側に送風機を設けた技術が開示されている。そして、この送風機は、記録媒体の中央部から側部上流側に向かって斜め方向に送風すると共に、送風が記録媒体に当る前までに、搬送手段へ搬送される記録媒体の幅に応じて、送風の領域幅が記録媒体の幅よりも狭くなるよう送風方向を調節することとしている。
【発明の概要】
【発明が解決しようとする課題】
【０００７】
乾燥処理の方法として温風を使用することが多く、温風によって高速に乾燥を行うためには、乾燥力が強いことが求められる。温風による乾燥力が強い、すなわち温風による速乾性を向上させるためには、温風の風速を速める必要がある。しかしながら、風速を速めると記録媒体が風で煽られることによりばたつきが発生し、記録媒体自体に損傷を与えてしまうという問題がある。すなわち、搬送ベルトを用いて記録媒体を搬送する際、搬送ベルトに当たった温風が記録媒体の下に入り込むことにより記録媒体が煽られ、記録媒体がばたついてしまうという問題がある。
【０００８】
また、特許文献１に記載された技術では、記録媒体に対して斜め方向に送風し、記録媒体の幅に応じて送風の領域幅を記録媒体の幅よりも狭くなるように送風方向を調節しているが、記録媒体の搬送状態に応じて送風方向を変えることは行っていない。したがって、記録媒体の搬送状態によっては、記録媒体が送風機を通過する前後に記録媒体にばたつきが発生し得るという問題は依然として解消されていない。
【０００９】
そこで、本発明は、上記従来技術の問題点に鑑みてなされたものであって、送風角度を調節することにより記録媒体のばたつきを防止しつつ、速乾性を向上することが可能な液体を吐出する装置を提供することを目的とする。
【課題を解決するための手段】
【００１０】
上記課題を解決するため、本発明における液体を吐出する装置は、記録媒体へ向けて液体を吐出した後、前記液体が吐出された記録媒体を一方向に搬送する液体を吐出する装置であって、前記一方向に搬送される前記記録媒体へ向けて風を送出する送風手段と、前記一方向に搬送される前記記録媒体の前記一方向に直交する端部を検出する検出手段と、前記一方向に搬送される前記記録媒体へ向けて前記送風手段が送出する前記風の角度を調節する角度調節手段と、を含み、前記角度調節手段は、前記端部が前記一方向における前記検出手段の上流側にあるか下流側にあるかに応じて、前記送風手段が前記一方向に搬送される前記記録媒体へ向けて送出する前記風の角度を調節することを特徴とする。
【発明の効果】
【００１１】
本発明によれば、送風角度を調節することにより記録媒体のばたつきを防止しつつ、速乾性を向上することが可能な液体を吐出する装置を得ることができる。
【図面の簡単な説明】
【００１２】
【図１】本実施形態に係る液体を吐出する装置の概略構成について説明する図である。
【図２】本実施形態に係る液体を吐出する装置のハードウェアブロックの一例について説明する図である。
【図３】本実施形態に係る液体を吐出する装置の機能ブロックの一例について説明する図である。
【図４】本実施形態に係る液体を吐出する装置の機能ブロックのうち送風部を制御するブロックの一例について説明する図である。
【図５】本実施形態に係る液体を吐出する装置の用紙端部検出部が、転写紙Ｐの先端部分を検出する前に送風部から送出される温風の角度について説明する図である。
【図６】本実施形態に係る液体を吐出する装置の用紙端部検出部が、転写紙Ｐの後端部分を検出した後に送風部から送出される温風の角度について説明する図である。
【図７】本実施形態に係る液体を吐出する装置の動作について説明するフロー図である。
【発明を実施するための形態】
【００１３】
次に、本発明を実施するための形態について図面を参照して詳細に説明する。なお、各図中、同一又は相当する部分には同一の符号を付しており、その重複説明は適宜に簡略化乃至省略する。以下、本発明について説明するが、本発明は、以下に説明する実施形態に限定されるものではない。
【００１４】
本発明における液体を吐出する装置は、記録媒体へ向けて液体を吐出した後、液体が吐出された記録媒体を一方向に搬送する液体を吐出する装置に関するものである。そして、液体を吐出する装置は、当該一方向に搬送される記録媒体へ向けて風を送出する送風部を有している。また、液体を吐出する装置は、当該一方向に搬送される記録媒体の一方向に直交する端部を検出する検出部を有している。さらに、液体を吐出する装置は、当該一方向に搬送される記録媒体へ向けて送風部が送出する風の角度を調節する角度調節部を有している。そして、角度調節部は、記録媒体の端部が当該一方向における検出部の上流側にあるか下流側にあるかに応じて、送風部が当該一方向に搬送される記録媒体へ向けて送出する風の角度を調節するのである。この本発明の特徴について、以下の図面を用いて詳細に解説する。
【００１５】
まず、本実施形態に係る液体を吐出する装置の概略構成について説明する。図１は、本実施形態に係る液体を吐出する装置の概略構成について説明する図である。
【００１６】
図１において、液体を吐出する装置の一例であるインクジェット記録装置１は、フルカラーの画像形成を行うことができる。インクジェット記録装置１は、外部から受信した画像情報に対応する画像信号に基づいて画像形成処理を行う。
【００１７】
インクジェット記録装置１は、一般にコピー等に用いられる普通紙の他、ＯＨＰ（Overhead projector）シートや、カード、葉書等の厚紙や、封筒等の何れをもシート状の記録媒体として画像形成を行うことが可能である。インクジェット記録装置１は、記録媒体としての用紙である転写紙Ｐの片面に画像形成可能な片面画像形成装置であるが、転写紙Ｐの両面に画像形成可能な両面画像形成装置であっても良い。
【００１８】
インクジェット記録装置１は、イエロー（Ｙ）、マゼンタ（Ｍ）、シアン（Ｃ）、ブラック（Ｋ）の各色に色分解された色にそれぞれ対応する画像を形成可能な、当該色のインクを吐出するインク吐出体としての画像形成部３を有している。画像形成部３は、インクジェットヘッド３１Ｙ、３１Ｍ、３１Ｃ、３１Ｋから構成されている。インクジェット記録装置１は、インクジェットヘッド３１Ｙ、３１Ｍ、３１Ｃ、３１Ｋを水平方向に平行配設したタンデム構造となっている。
【００１９】
インクジェットヘッド３１Ｙ、３１Ｍ、３１Ｃ、３１Ｋは、インクジェット記録装置１の本体の略中央部に配設された無端状のベルト５で構成された用紙搬送部２の上方であってベルト５の外周面に対向する位置に配設されている。インクジェットヘッド３１Ｙ、３１Ｍ、３１Ｃ、３１Ｋは、転写紙Ｐの矢印で示した搬送方向に沿って、図１における左側の搬送方向上流側から右側の搬送方向下流側に向かって順番に並んでいる。同図において各符号の数字の後に付されたＹ、Ｍ、Ｃ、Ｋは、イエロー、マゼンタ、シアン、ブラック用の部材であることを示している。
【００２０】
インクジェットヘッド３１Ｙ、３１Ｍ、３１Ｃ、３１Ｋはそれぞれ、イエロー（Ｙ）、マゼンタ（Ｍ）、シアン（Ｃ）、ブラック（Ｋ）の各画像を形成するため画像形成部３に備えられている。各インクジェットヘッド３１Ｙ、３１Ｍ、３１Ｃ、３１Ｋは、転写紙Ｐにおける画像形成領域の最大幅（転写紙Ｐの矢印で示した搬送方向と直交する方向の長さ）に対応する長さを有するフルライン型のヘッドである。インクジェットヘッド３１Ｙ、３１Ｍ、３１Ｃ、３１Ｋは、転写紙Ｐの矢印で示した搬送方向と直交する方向に延在するように画像形成部３に固定設置されている。
【００２１】
用紙搬送部２は、転写紙Ｐをベルト５の外周面に保持し各インクジェットヘッド３１Ｙ、３１Ｍ、３１Ｃ、３１Ｋに対向させながら矢印で示した搬送方向に搬送する。この過程で、各インクジェットヘッド３１Ｙ、３１Ｍ、３１Ｃ、３１Ｋからイエロー、マゼンタ、シアン、ブラックのインクが順次重ね合わされる態様で吐出され、転写紙Ｐ上に画像が形成される。用紙搬送部２のベルト５には、転写紙Ｐを吸着保持するために図示しない多数の孔が形成されており、転写紙Ｐを吸引、吸着させ、搬送する。
【００２２】
インクジェットヘッド３１Ｙ、３１Ｍ、３１Ｃ、３１Ｋによる転写紙Ｐに対するインクの吐出は、イエロー、マゼンタ、シアン、ブラックの各色の画像領域が転写紙Ｐの同じ位置に重なるよう、搬送方向上流側から下流側に向けてタイミングをずらして行われる。
【００２３】
図１に示すように、インクジェット記録装置１は、インクジェットヘッド３１Ｙ、３１Ｍ、３１Ｃ、３１Ｋをそれぞれ備えた画像形成部３と、ベルト５とを備えている。また、インクジェット記録装置１は、転写紙Ｐをベルト５に吸着保持した状態で搬送する用紙搬送ユニットとしての用紙搬送部２を有している。さらに、インクジェット記録装置１は、転写紙Ｐの端部を検出する用紙端部検出部３２と、転写紙Ｐに転写されたインクを乾かすために温風を送る送風部４と、を有している。
【００２４】
さらに、インクジェット記録装置１は、転写紙Ｐを多数枚積載可能であり、当該積載した転写紙Ｐのうち最上位の転写紙Ｐのみを用紙搬送部２に向けて給送する図示しない給紙部を有している。また、インクジェット記録装置１は、用紙搬送部２により搬送され、画像形成された（プリントされた）転写紙Ｐを多数積載可能な図示しない排紙台を有している。
【００２５】
そして、インクジェット記録装置１は、インクジェットヘッド３１Ｙ、３１Ｍ、３１Ｃ、３１Ｂをクリーニングする図示しないインクジェットヘッドクリーニング装置を有している。また、インクジェット記録装置１の動作全体を制御する後述するＣＰＵ（Central Processing Unit）、メモリ等を有している。用紙端部検出部３２によって検出された転写紙Ｐの位置に基づいて、ＣＰＵは送風部４のノズル６から送出される温風の送風角度を調節する。
【００２６】
図１に示すように、用紙搬送部２は、ベルト５の他に、ベルト５を巻き掛けられた駆動部材である駆動ローラ２２と、従動部材である張架ローラ２１と、駆動ローラ２２を回転駆動する図示しない駆動手段としてのモータ等と、を有している。
【００２７】
次に、本実施形態に係る液体を吐出する装置のハードウェアブロックの一例について説明する。図２は、本実施形態に係る液体を吐出する装置のハードウェアブロックの一例について説明する図である。
【００２８】
図２に示すように、本実施形態に係る液体を吐出する装置の一例であるインクジェット記録装置１は、サーバやＰＣ（Personal Computer）等の情報処理装置と同様の構成を有する。インクジェット記録装置１は、ＣＰＵ２０１、ＲＡＭ（Random Access Memory）２０２、ＲＯＭ（Read Only Memory）２０３、ＨＤＤ（Hard Disk Drive）２０４、Ｉ／Ｆ（インタフェース）２０５を有している。そして、これ等は、バス２０６を介して接続されている。また、Ｉ／Ｆ２０５には、ＬＣＤ（Liquid Crystal Display）２０７、及び操作部２０８が接続されている。さらに、Ｉ／Ｆ２０５を介して、インクジェット記録装置１に接続される外部装置２０９との信号の送受信を行う。
【００２９】
ＣＰＵ２０１は演算手段であり、インクジェット記録装置１全体の動作を制御する。ＲＡＭ２０２は、情報の高速な読み書きが可能な揮発性の記憶媒体であり、ＣＰＵ２０１が情報を処理する際の作業領域として用いられる。ＲＯＭ２０３は、読み出し専用の不揮発明記憶媒体であり、ファームウェア等が格納されている。ＨＤＤ２０４は、情報の読み書きが可能な不揮発性の記憶媒体であり、ＯＳ（Operating System）や各種の制御プログラム、アプリケーションプログラム等が格納される。
【００３０】
Ｉ／Ｆ２０５は、バス２０６と各種のハードウェアやネットワーク等を接続し制御する。ＬＣＤ２０７は、ユーザがインクジェット記録装置１の状態を確認するために使用する視覚的ユーザインタフェースである。操作部２０８は、キーボードやマウス等のユーザがインクジェット記録装置１に情報を入力するためのユーザインタフェースである。なお、ＬＣＤ２０７は、操作部２０８がタッチパネル構成である場合には、ユーザインタフェースにもなるものである。外部装置２０９は、インクジェット記録装置１に特有の機能を実現するためのハードウェアであり、転写紙Ｐ上に画像形成を実行するプリントエンジン等である。
【００３１】
このようなハードウェア構成において、ＲＯＭ２０３、ＨＤＤ２０４、又は図示しない光学ディスク等の記憶媒体に格納されたプログラムがＲＡＭ２０２に読み出される。そして、ＣＰＵ２０１がＲＡＭ２０２にロードされたプログラムに従って演算を行うことにより、ソフトウェア機能が構成される。このようにして構成されたソフトウェア機能とハードウェアとの組み合せによって、本実施形態に係るインクジェット記録装置１の機能を実現する機能ブロックが構成される。
【００３２】
次に、本実施形態に係る液体を吐出する装置の機能ブロックの一例について説明する。図３は、本実施形態に係る液体を吐出する装置の機能ブロックの一例について説明する図である。
【００３３】
図３に示すようにインクジェット記録装置１は、コントローラ３００、ディスプレイパネル４１、給紙機構４２、プリントエンジン４３、排紙機構４４、外部装置接続Ｉ／Ｆ４５、及び記憶部４６を有する。
【００３４】
また、コントローラ３００は、主制御部３０１、エンジン制御部３０２、画像処理部３０３、操作表示制御部３０４、及び入出力制御部３０５を有する。なお、図３においては、電気的接続を実線の矢印で示しており、転写紙Ｐの流れを破線の矢印で示している。
【００３５】
ディスプレイパネル４１は、インクジェット記録装置１の状態を視覚的に表示する出力インタフェースである。また、ディスプレイパネル４１は、タッチパネルとしてユーザがインクジェット記録装置１を直接操作する際、又はインクジェット記録装置１に対して情報を入力する際の入力インタフェース（操作部）でもある。外部接続装置Ｉ／Ｆ４５は、ネットワークや機器間接続ケーブルを介して他の機器と通信するためのインタフェースであり、Ｅｔｈｅｒｎｅｔ（登録商標）やＵＳＢ（Universal Serial Bus）インタフェースが用いられる。
【００３６】
コントローラ３００は、ソフトウェアとハードウェアとの組合せによって構成される。具体的には、ＲＯＭ２０３、及びＨＤＤ２０４、並びに光学ディスク等の不揮発性記録媒体に格納されたファームウェア等の制御プログラムがＲＡＭ２０２等の揮発性メモリにロードされる。そして、ＣＰＵ２０１の制御に従って構成されるソフトウェア機能と集積回路等のハードウェアとによってコントローラ３００が構成される。コントローラ３００は、インクジェット記録装置１全体を制御する制御部として機能する。
【００３７】
主制御部３０１は、記憶部４６に予め記憶されたデータ等に基づいてコントローラ３００に含まれる各部を制御する役割を担い、記憶部４６に予め記憶されたデータ等に基づいてコントローラ３００の各部に命令を与える。エンジン制御部３０２は、プリントエンジン４３の制御、又はプリントエンジン４３を駆動する駆動手段としての役割を担う。
【００３８】
入出力制御部３０５は、外部接続装置Ｉ／Ｆ４５を介して入力される信号や命令を主制御部３０１に入力する。また、主制御部３０１は、入出力制御部３０５を制御し、外部接続装置Ｉ／Ｆ４５を介して他の機器にアクセスする。
【００３９】
画像処理部３０３は、主制御部３０１の制御に従い、入力された印刷ジョブに含まれる印刷情報に基づいて描画情報を生成する。この描画情報とは、画像形成部であるプリントエンジン４３が画像形成動作において形成すべき画像を描画するための情報である。また、印刷ジョブに含まれる印刷情報とは、ＰＣ等の情報処理装置にインストールされたプリンタドライバによってインクジェット記録装置１が認識可能な形式に変換された画像情報である。操作表示制御部３０４は、ディスプレイパネル４１に情報表示を行い、又はディスプレイパネル４１を介して入力された情報を主制御部３０１に通知する。
【００４０】
インクジェット記録装置１では、まず、入出力制御部３０５が外部接続装置Ｉ／Ｆ４５を介して印刷ジョブを受信する。入出力制御部３０５は、受信した印刷ジョブを主制御部３０１に転送する。主制御部３０１は、印刷ジョブを受信すると、画像処理部３０３を制御して、印刷ジョブに含まれる印刷情報に基づいて描画情報を生成させる。
【００４１】
画像処理部３０３によって描画情報が生成されると、エンジン制御部３０２は、生成された描画情報に基づき、給紙機構４２から搬送される転写紙Ｐに対して画像形成を実行する。すなわち、プリントエンジン４３が画像形成部として機能する。プリントエンジン４３によって画像形成が施された転写紙Ｐは排紙機構４４にて装置外に排紙される。
【００４２】
インクジェット記録装置１では、給紙機構４２に相当する図示しない給紙部から排出された転写紙Ｐに対し、プリントエンジン４３に相当する画像形成部３にて画像形成を行う。画像形成部３を除く各部は、その内部の搬送経路に沿って、画像形成を行う対象となる転写紙Ｐに接触し、該転写紙Ｐの搬送経路の上流から下流に向かって回転して転写紙Ｐの搬送経路を構成する用紙搬送部２を備える。
【００４３】
搬送ローラは、図示しない駆動装置に連結されて自ら搬送速度に沿って回転駆動する駆動ローラ２２と、転写紙Ｐの搬送方向に従動して回転する張架ローラ２１とからなる。転写紙Ｐは、張架ローラ２１の回転動作によって搬送経路の上流から下流に向かって搬送される。張架ローラ２１は、ベルト５が駆動ローラ２２の表面に接触し、その接触部分から張架ローラ２１に対して加わる張力によって従動回転する。
【００４４】
これ等の各部はエンジン制御部３０２によって駆動制御され、搬送動作が正常に行われている場合には、ベルト５の矢印で示した搬送方向へ、転写紙Ｐが搬送経路の上流から下流に向かって移動し、これに伴って張架ローラ２１も回転する。
【００４５】
次に、本実施形態に係る液体を吐出する装置の機能ブロックのうち送風部を制御するブロックの一例について説明する。図４は、本実施形態に係る液体を吐出する装置の機能ブロックのうち送風部を制御するブロックの一例について説明する図である。
【００４６】
送風部４を制御するブロックは、搬送制御部５１と、用紙端部検出部５２と、計測部５３と、判断制御部５４と、記憶部４６と、角度調節部５５と、風速調節部５６と、から構成される。そして、搬送制御部５１、用紙端部検出部５２、及び計測部５３は、図３で説明したエンジン制御部３０２によって実現される。
【００４７】
また、判断制御部５４、角度調節部５５、及び風速調節部５６は、図３で説明した主制御部３０１によって実現される。また、記憶部４６は、図３で説明した記憶部４６と同一である。
【００４８】
搬送制御部５１は、ベルト５上における転写紙Ｐの搬送状態を制御するものである。用紙端部検出部５２は、搬送されている転写紙Ｐの搬送方向に直交する先端又は後端の端部を検出するものである。計測部５３は、搬送制御部５１から得た転写紙Ｐの搬送状態と、用紙端部検出部５２の位置と転写紙Ｐの搬送方向に直交する先端又は後端の位置との間の距離を計測するものである。
【００４９】
判断制御部５４は、計測部５３から得た用紙端部検出部５２の位置と転写紙Ｐの搬送方向に直交する先端又は後端の位置との間の距離と、記憶部４６に予め記憶された所定の閾値とを比較する。そして、当該比較結果に基づいて角度調節部５５と風速調節部５６とを制御するものである。
【００５０】
角度調節部５５は、判断制御部５４の制御に基づいて送風部４のノズル６の角度を調節するものである。風速調節部５６は、判断制御部５４の制御に基づいて送風部４のノズル６から送出される温風の風速を調節するものである。
【００５１】
次に、本実施形態に係る液体を吐出する装置の用紙端部検出部が、転写紙Ｐの先端部を検出する前に送風部から送出される温風の角度、及び、用紙端部検出部が、転写紙Ｐの後端部を検出した後に送風部から送出される温風の角度について説明する。図５は、本実施形態に係る液体を吐出する装置の用紙端部検出部が、転写紙Ｐの先端部を検出する前に送風部から送出される温風の角度について説明する図である。また、図６は、本実施形態に係る液体を吐出する装置の用紙端部検出部が、転写紙Ｐの後端部を検出した後に送風部から送出される温風の角度について説明する図である。
【００５２】
図５（ａ）に示すように、転写紙Ｐがベルト５上を矢印で示した搬送方向に搬送される場合、転写紙Ｐの先端部が用紙端部検出部３２を通過する前は、ノズル６から送出される温風を、矢印ＷＦ方向、すなわち、転写紙Ｐの搬送方向と同一方向に送出するよう制御する。そして、図５（ｂ）に示すように、転写紙Ｐの先端部と用紙端部検出部３２との間の距離が所定の値（例えばａ［ｍｍ］（ａは任意の値））以上離間している場合、ノズル６から所定の風速（例えばＰ１）で温風を送出する。その後、転写紙Ｐの搬送が進行し、転写紙Ｐの先端部と用紙端部検出部３２との間の距離が所定の値（例えばａ［ｍｍ］（ａは任意の値））以下に近接した場合、ノズル６から送出する温風の風速を、上記所定の風速より大きい風速（例えばＰ２）にする。
【００５３】
これは、転写紙Ｐの先端部と用紙端部検出部３２との間の距離が所定の値（例えばａ［ｍｍ］（ａは任意の値））以上離間している場合にノズル６から大きな風速で温風を送出すると、転写紙Ｐが風で煽らればたつきが発生し、転写紙Ｐに損傷を与えるからである。そして、転写紙Ｐの先端部と用紙端部検出部３２との間の距離が所定の値（例えばａ［ｍｍ］（ａは任意の値））以下に近接している場合は、風速を大きくしても転写紙Ｐがベルト５に押圧されるので、転写紙Ｐが風で煽られるという現象が発生しないからである。
【００５４】
なお、図５（ａ）（ｂ）においては、ノズル６から送出される温風の角度を、矢印で示した搬送方向と平行な面に対して斜め１３５°として説明を行っているが、必ずしもこの角度である必要はない。要するに、ノズル６から送出される温風が、矢印で示した搬送方向と略同一方向であれば、任意の角度に設定することが可能である。
【００５５】
図６（ａ）に示すように、転写紙Ｐがベルト５上を矢印で示した搬送方向に搬送される場合、転写紙Ｐの先端部が用紙端部検出部３２を通過した後は、ノズル６から送出される温風を、矢印ＷＲ方向、すなわち、転写紙Ｐの搬送方向と反対方向に送出するよう制御する。そして、図６（ｂ）に示すように、転写紙Ｐの後端部と用紙端部検出部３２との間の距離が所定の値（例えばａ［ｍｍ］（ａは任意の値））以下に近接している場合、ノズル６から所定の風速（例えばＰ２）で温風を送出する。その後、転写紙Ｐの搬送が進行し、転写紙Ｐの後端部と用紙端部検出部３２との間の距離が所定の値（例えばａ［ｍｍ］（ａは任意の値））以上離間した場合、ノズル６から送出する温風の風速を、上記所定の風速より小さい風速（例えばＰ１）にする。
【００５６】
これは、転写紙Ｐの後端部と用紙端部検出部３２との間の距離が所定の値（例えばａ［ｍｍ］（ａは任意の値））以下に近接している場合は、風速を大きくしても転写紙Ｐがベルト５に押圧されるので、転写紙Ｐが風で煽られるという現象が発生しないからである。そして、転写紙Ｐの後端部と用紙端部検出部３２との間の距離が所定の値（例えばａ［ｍｍ］（ａは任意の値））以上離間している場合にノズル６から大きな風速で温風を送出すると、転写紙Ｐが風で煽らればたつきが発生し、転写紙Ｐに損傷を与えるからである。
【００５７】
なお、図６（ａ）（ｂ）においては、ノズル６から送出される温風の角度を、矢印で示した搬送方向と平行な面に対して斜め４５°として説明を行っているが、必ずしもこの角度である必要はない。要するに、ノズル６から送出される温風が、矢印で示した搬送方向と略反対方向であれば、任意の角度に設定することが可能である。
【００５８】
また、図５から図６にかけて転写紙Ｐが矢印で示した搬送方向に搬送されるに従い、ノズル６から送出される温風の角度を、搬送方向と平行な方向に対して斜め１３５°から斜め４５°に可変する動作は、点Ｃを中心にノズル６を徐々に回転させるようにしても良い。
【００５９】
さらに、図５、図６には、矢印で示した搬送方向に、１つの送風部４が設けられている場合について説明を行っているが、矢印で示した搬送方向と同一方向に複数の送風部４を設けるような構成であっても良い。この場合、矢印で示した搬送方向と同一方向に設けられた複数の送風部４のうち、搬送される転写紙Ｐに対して最初に温風を送出する送風部４と、最後に温風を送出する送風部４とが、図５、図６に示したノズル６の角度の調節を行うようにしても良い。そして、それ以外の送風部４は、ノズル６の角度を９０°、すなわち、転写紙Ｐの真上から温風を送風するようにしても良い。
【００６０】
次に、本実施形態に係る液体を吐出する装置の動作について説明する。図７は、本実施形態に係る液体を吐出する装置の動作について説明するフロー図である。
【００６１】
ステップＳ７０１の処理において、用紙（転写紙Ｐ）の搬送が開始されたか否かが判断される。用紙の搬送が開始されていない（ステップＳ：７０１：Ｎｏ）と判断されると、用紙の搬送が開始されるまで待機する。用紙の搬送が開始された（ステップＳ７０１：Ｙｅｓ）と判断されると、ステップＳ７０２の処理において、用紙の先端部が用紙端部検出部３２を通過したか否かが判断される。用紙の先端部が用紙端部検出部３２を通過した（ステップＳ７０２：Ｙｅｓ）と判断されると、ステップＳ７０３の処理へ移行する。用紙の先端部が用紙端部検出部３２を通過していない（ステップＳ７０２：Ｎｏ）と判断されると、ステップＳ７０４の処理へ移行する。
【００６２】
ステップＳ７０４の処理においてノズル６の角度を変えることなくステップＳ７０１の処理へ戻る。ステップＳ７０３の処理において、ノズル６の角度を変える。すなわち、図５で説明したように、ノズル６の角度を図５で説明した矢印の用紙搬送方向と同一方向に向けて動かす。
【００６３】
ステップＳ７０５の処理において、用紙後端部が用紙端部検出部３２を通過したか否かが判断される。用紙の後端部が用紙端部検出部３２を通過した（ステップＳ７０５：Ｙｅｓ）と判断されると、ステップＳ７０６の処理へ移行する。用紙の後端部が用紙端部検出部３２を通過していない（ステップＳ７０５：Ｎｏ）と判断されると、ステップＳ７０７の処理へ移行する。
【００６４】
ステップＳ７０７の処理においてノズル６の角度を変えることなくステップＳ７０５の処理へ戻る。ステップＳ７０６の処理において、ノズル６の角度を変える。すなわち、図６で説明したように、ノズル６の角度を図６で説明した矢印の用紙搬送方向と反対方向に向けて動かす。
【００６５】
ステップＳ７０８の処理において、用紙の搬送が終了したか否かが判断される。用紙の搬送が終了していない（ステップＳ７０８：Ｎｏ）と判断されると、ステップＳ７０１の処理へ戻る。用紙の搬送が終了した（ステップＳ７０８：Ｙｅｓ）と判断されると、処理を終了する。
【００６６】
なお、図７に示した本実施形態に係る液体を吐出する装置の動作フローは、コンピュータ上のプログラムに実行させることもできる。すなわち、インクジェット記録装置１を構成するＣＰＵ２０１が、ＲＯＭ２０３等に格納されたプログラムをロードする。そして、プログラムの各処理ステップが順次実行されることによって行われる。
【００６７】
以上説明したように、従来、温風を記録媒体に対して垂直に当たるようにしていたのを、本実施形態では、記録媒体が用紙端部検出部を通過する前は、記録媒体に対してノズルを用紙搬送方向と同一方向に向けている。すなわち、記録媒体の下に風が入り込まないような角度に設定している。また、記録媒体が用紙端部検出部を通過した後は、記録媒体に対してノズルを用紙搬送方向と反対方向に向けている。すなわち、記録媒体の下に風が入り込まないような角度に設定している。
【００６８】
これにより、風が記録媒体に当たることにより、風が記録媒体の下に入り込む現象を必要最小限に留め、記録媒体のばたつきを防止することとしている。要するに、送風の角度を、風が記録媒体の下に入り込まない角度となるよう記録媒体の位置に応じて可変させ、記録媒体のばたつきを防止することとしている。
【００６９】
また、上記実施形態では、インクジェット記録装置に適用した例で説明したが、これに限定されず、液体を吐出する装置全体に広く適用可能である。ここで、液体を吐出する装置について説明する。液体を吐出する装置は、液体吐出ヘッド又は液体吐出ユニットを備え、液体吐出ヘッドを駆動させて液体を吐出させる装置である。液体を吐出する装置には、液体が付着可能なものに対して液体を吐出することが可能な装置だけでなく、液体を、気中や液中に向けて吐出する装置も含まれる。例えば、画像形成装置、立体造形装置、処理液塗布装置、噴射造粒装置等が挙げられる。
【００７０】
本願において、液体を吐出する装置は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。
【００７１】
この液体を吐出する装置は、液体が付着可能なものの給送、搬送、排紙に係わる手段、その他、前処理装置、後処理装置等も含むことができる。
【００７２】
例えば、液体を吐出する装置として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００７３】
また、液体を吐出する装置は、吐出された液体によって文字、図形等の有意な画像が可視化されるものに限定されるものではない。例えば、それ自体意味を持たないパターン等を形成するもの、三次元像を造形するものも含まれる。
【００７４】
上記液体が吐出可能なものとは、液体が少なくとも一時的に付着可能なものであって、付着して固着するもの、付着して浸透するもの等を意味する。具体例としては、用紙、記録紙、記録用紙、フィルム、布等の被記録媒体、電子基板、圧電素子等の電子部品、粉体層（粉末層）、臓器モデル、検査用セル等の媒体であり、特に限定しない限り、液体が付着するすべてのものが含まれる。
【００７５】
上記液体が付着可能なものの材料は、紙、糸、繊維、布帛、皮革、金属、プラスチック、ガラス、木材、セラミックス等液体が一時的でも付着可能であれば良い。
【００７６】
また、液体は、ヘッドから吐出可能な粘度や表面張力を有するものであれば良く、特に限定されないが、常温、常圧下において、又は加熱、冷却により粘度が３０ｍＰａ・ｓ以下となるものであることが好ましい。より具体的には、水や有機溶媒等の溶媒、染料や顔料等の着色剤、重合成化合物、樹脂、界面活性剤等の機能性付与材料、ＤＮＡ、アミノ酸やたんぱく質、カルシウム等の生体適合材料、天然色素等の可食材料、等を含む溶液、懸濁液、エマルジョン等である。これ等は例えば、インクジェット用インク、表面処理液、電子素子や発光素子の構成要素や電子回路レジストパターンの形成用液、三次元造形用材料液等の用途で用いることができる。
【００７７】
また、液体を吐出する装置は、液体吐出ヘッドと液体が付着可能なものとが相対的に移動する装置であるが、これに限定するものではない。具体例としては、液体吐出ヘッドを移動させるシリアル型装置、液体吐出ヘッドを移動させないライン型装置等が含まれる。
【００７８】
また、液体を吐出する装置としては、用紙の表面を改質する等の目的で用紙の表面に処理液を塗布するために処理液を用紙に吐出する処理液塗布装置、原材料を溶液中に分散した組成液をノズルを介して噴射させて原材料の微粒子を造粒する噴射造粒装置等がある。
【００７９】
このように、本実施形態における液体を吐出する装置の一例であるインクジェット記録装置は、記録媒体が用紙端部検出部を通過する前は、記録媒体に対してノズルを用紙搬送方向と同一方向に向け、記録媒体の下に風が入り込まないような角度に設定している。また、記録媒体が用紙端部検出部を通過した後は、記録媒体に対してノズルを用紙搬送方向と反対方向に向け、記録媒体の下に風が入り込まないような角度に設定している。
【００８０】
これにより、風が記録媒体に当たることにより、風が記録媒体の下に入り込む現象を必要最小限に留め、記録媒体のばたつきを防止することとしている。また、送風の角度を、風が記録媒体の下に入り込まない角度となるよう記録媒体の位置に応じて可変させ、記録媒体のばたつきを防止することとしている。
【００８１】
本発明によれば、送風角度を調節することにより記録媒体のばたつきを防止しつつ、速乾性を向上することが可能な液体を吐出する装置、液体を吐出する装置の制御方法、及びプログラムが得られる。
【００８２】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００８３】
１    インクジェット記録装置
２    用紙搬送部
３    画像形成部
４    送風部
５    ベルト
６    ノズル
２１    張架ローラ
２２    駆動ローラ
３１Ｙ、３１Ｍ、３１Ｃ、３１Ｋ    インクジェットヘッド
３２、５２    用紙端部検出部
４１    ディスプレイパネル
４２    給紙機構
４３    プリントエンジン
４４    排紙機構
４５    外部接続装置Ｉ／Ｆ
４６    記憶部
５１    搬送制御部
５３    計測部
５４    判断制御部
５５    角度調節部
５６    風速調節部
２０１    ＣＰＵ
２０２    ＲＡＭ
２０３    ＲＯＭ
２０４    ＨＤＤ
２０５    Ｉ／Ｆ
２０６    バス
２０７    ＬＣＤ
２０８    操作部
２０９    外部装置
３００    コントローラ
３０１    主制御部
３０２    エンジン制御部
３０３    画像処理部
３０４    操作表示制御部
３０５    入出力制御部
【先行技術文献】
【特許文献】
【００８４】
【特許文献１】特開２０１３−０４７１３６号公報
【図１】
2017087698.tif 000003
【図２】
2017087698.tif 000004
【図３】
2017087698.tif 000005
【図４】
2017087698.tif 000006
【図５】
2017087698.tif 000007
【図６】
2017087698.tif 000008
【図７】
2017087698.tif 000009